(57)【要約】【課題】ダイナミックＰＳの放送局から送信されたＰＳデータの中から正しい放送局名を確実に検出する。  【解決手段】放送局１０１から送信されるデータ情報は、ＲＤＳデコーダ１０９においてＰＩ、ＰＳ、ＰＩ（ＯＮ）、ＰＳ（ＯＮ）に復号され、ＰＳとＰＳ取得回数とが対応付けられ、またＰＩ（ＯＮ）とＰＳ（ＯＮ）とが対応付けられてＲＡＭ１０４に記憶される。放送局名更新処理部１１３は、ＲＡＭ１０４に記憶されたＰＳの中から、対応付けられたＰＳ取得回数が閾値以上であり、かつ、受信中の放送局のＰＩと一致するＰＩ（ＯＮ）に対応付けられたＰＳ（ＯＮ）と一致するＰＳを検出し、放送局名として確定する。【選択図】図１
2014127901.tif 000002
【特許請求の範囲】
【請求項１】
番組情報とデータ情報とが多重化された放送電波から、前記データ情報に含まれる、受信中の放送局の局識別情報を示す現在局識別情報と、
前記データ情報に含まれる、受信中の放送局の放送局名を含み内容の異なる複数の文字情報と前記文字情報の取得回数を対応付けた現在局放送局名情報と、
受信中の放送局とは異なる他の放送局から送信された受信中の放送局を含む局識別情報と放送局名情報を対応付けた他局放送局名情報とを記憶する記憶部と、
前記現在局放送局名情報に含まれる文字情報の中から、前記現在局放送局名情報に含まれる取得回数が一定数以上の文字情報を、受信中の放送局の放送局名の候補として抽出し、前記他局放送局名情報に含まれ、前記現受信局識別情報と一致する局識別情報に対応付けられた放送局名情報と一致する文字情報を前記受信中の放送局の放送局名の候補の中から検出し、検出した文字情報を受信中の放送局の放送局名として確定する放送局名更新処理部と、
前記放送局名更新処理部によって確定された放送局名を出力表示する表示部とを備えたことを特徴とする放送受信装置。
【請求項２】
現在受信中の放送局の局識別情報を示す現在局識別情報と、一定期間内に受信した受信中の放送局の放送局名を含む内容の異なる複数の文字情報と前記文字情報の取得回数を対応付けた現在局放送局名情報を記憶するステップと、
取得回数が一定数以上の文字情報を、受信中の放送局の放送局名の候補として前記現在局放送局名情報から抽出するステップと、
受信中の放送局とは異なる他の放送局から送信された受信中の放送局を含む局識別情報と放送局名情報を対応付けて記憶した他局放送局名情報から現在受信中の放送局名を前記現在局識別情報に基づき検索するステップと、
検索された放送局名と一致する前記放送局名の候補を現在受信中の放送局名として表示するステップとからなる放送受信方法。
【発明の詳細な説明】
【技術分野】
【０００１】
本発明は、放送情報とデータ情報とが多重化された放送電波を受信するとともに、放送電波に含まれるデータ情報を正確に表示するための放送受信装置及び方法に関する。
【背景技術】
【０００２】
ＦＭラジオの規格として定められているＲＤＳ（Radio Data System）では、放送局の名称（Program Service name ; 以下、略して ＰＳ と称する。）のデータ情報を、放送番組の内容を示す放送情報に重畳して送信することが可能となっている。放送受信装置側では、受信した放送電波から、放送情報とデータ情報を検出した後、データ情報に含まれるＰＳ情報を出力表示する。これにより、ラジオ放送番組を選局中に、当該放送局の放送局名の情報をモニタに表示することができる。
【０００３】
ＲＤＳに準拠したＰＳでは、８文字分までの放送局名の情報が送信可能とされており、８文字分の情報は、２文字分のテキスト情報が含まれたグループ０Ａまたはグループ０Ｂと呼ばれるデータによって送信される。すなわち、４個のグループ０Ａまたはグループ０Ｂのデータを送信することで、８文字の放送局名の情報を伝送することができる。
【０００４】
また、グループ０Ａまたはグループ０Ｂのデータには、当該２文字分のテキストの位置を示す文字位置情報が含まれており、これにより、放送受信装置において放送局名情報を適切な順番で並べ、表示等に用いることが出来る。
【先行技術文献】
【特許文献】
【０００５】
【特許文献１】特開２００２−１３５１４８号公報
【発明の概要】
【発明が解決しようとする課題】
【０００６】
本来、ＲＤＳにおいて放送されるＰＳデータは各放送毎に固定であり、変化させてはならない規定ではあるが、欧州のＲＤＳ普及地域においては、それを広告代わりに使用する放送局が数多く存在し、それらのＲＤＳ放送では数秒間隔でＰＳデータを変更して送信している。
【０００７】
このような送信方法はダイナミックＰＳと呼ばれ、そのようなＲＤＳ放送を受信中にメモリへの放送局名の記憶動作を行うと、本来の正しい番組サービス名ではなく、広告文の中の一つの単語などが番組サービス名としてメモリに記憶されてしまう場合がある。
【０００８】
したがって、メモリに記憶した放送局名を後に確認する際、放送局名とは全く関係のない単語が無意味に表示され、ユーザの混乱を招いてしまっている。前記、特許文献１では、ダイナミックＰＳを検出した場合に、メモリに記憶した放送局名をスペース等の文字列で置き換えることにより、無意味な表示を防止しているが、前記特許文献１の手法によると、仮に正しい放送局名がメモリに記憶されていた場合であっても、放送局名が表示されず、ダイナミックＰＳで送信されたＰＳの中から正しい放送局名を検出し表示するための解決法は示されていない。
【０００９】
本発明は、上記従来の問題を解決するためになされたもので、ダイナミックＰＳの放送局から送信されたＰＳデータの中から正しい放送局名を示すＰＳデータを検出して、正しい放送局名を表示することができる放送受信装置及び方法を提供することを目的とする。
【課題を解決するための手段】
【００１０】
上記目的を達成するために、請求項１に記載の本発明の放送受信装置は、番組情報とデータ情報とが多重化された放送電波から、前記データ情報に含まれる、受信中の放送局の局識別情報を示す現在局識別情報と、前記データ情報に含まれる、受信中の放送局の放送局名を含み内容の異なる複数の文字情報と前記文字情報の取得回数を対応付けた現在局放送局名情報と、受信中の放送局とは異なる他の放送局から送信された受信中の放送局を含む局識別情報と放送局名情報を対応付けた他局放送局名情報とを記憶する記憶部と、前記現在局放送局名情報に含まれる文字情報の中から、前記現在局放送局名情報に含まれる取得回数が一定数以上の文字情報を、受信中の放送局の放送局名の候補として抽出し、前記他局放送局名情報に含まれ、前記現受信局識別情報と一致する局識別情報に対応付けられた放送局名情報と一致する文字情報を前記受信中の放送局の放送局名の候補の中から検出し、検出した文字情報を受信中の放送局の放送局名として確定する放送局名更新処理部と、前記放送局名更新処理部によって確定された放送局名を出力表示する表示部を備えたことを特徴とするものである。
【００１１】
また請求項２記載の放送受信方法は、現在受信中の放送局の局識別情報を示す現在局識別情報と、一定期間内に受信した受信中の放送局の放送局名を含む内容の異なる複数の文字情報と前記文字情報の取得回数を対応付けた現在局放送局名情報を記憶するステップと、取得回数が一定数以上の文字情報を、受信中の放送局の放送局名の候補として前記現在局放送局名情報から抽出するステップと、受信中の放送局とは異なる他の放送局から送信された受信中の放送局を含む局識別情報と放送局名情報を対応付けて記憶した他局放送局名情報から現在受信中の放送局名を前記現在局識別情報に基づき検索するステップと、検索された放送局名と一致する前記放送局名の候補を現在受信中の放送局名として表示するステップとからなることを特徴とするものである。
【発明の効果】
【００１２】
本発明によれば、受信した現受信局の放送局名を含み内容の異なる文字情報の中から、取得回数が多く、かつ、事前に他局受信時に取得済みの現受信局の放送局名と一致する文字情報を現受信局の放送局名として確定するようにしたため、正しい放送局名を確実に選択し表示することができる。
【図面の簡単な説明】
【００１３】
【図１】本発明の実施の形態における放送受信装置の構成を示す説明図
【図２】ＲＤＳのグループ０Ａ／０Ｂのデータ構造を示す説明図
【図３】ＲＤＳのグループ１４Ａのデータ構造を示す説明図
【図４】ＲＤＳのＰＩのＲＡＭ格納領域を示す説明図
【図５】ＲＤＳのＰＳおよび取得回数のＲＡＭ格納領域を示す説明図
【図６】ＲＤＳのＰＩ（ＯＮ）およびＰＳ（ＯＮ）のＲＡＭ格納領域を示す説明図
【図７】ＰＳ（ＯＮ）のデータを受信したときの処理を示すフロー図
【図８】ＰＳのデータを受信したときの処理を示すフロー図
【図９】受信したＰＳデータの中から放送局名を確定する処理を示すフロー図
【図１０】放送局から送信されるＲＤＳデータの例を示す説明図
【図１１】ダイナミックＰＳで送信されるＰＳデータの例を示す説明図
【発明を実施するための形態】
【００１４】
以下、本発明の一実施形態における放送受信装置について、図面を用いて説明する。図１は、放送受信装置１００の構成を示す説明図であり、この放送受信装置１００は車載用ＦＭラジオとして用いられ、スピーカ１０７およびアンテナ１０２とともに車両に搭載されている。
【００１５】
放送受信装置１００は、フロントエンド１０３、ＦＭ復調部１０６、オーディオアンプ１０８、復号部としてのＲＤＳデコーダ１０９、制御部１１２、操作部１１１、表示部１１０、ＲＯＭ１０５及び記憶部としてのＲＡＭ１０４を備えた構成を有する。
【００１６】
アンテナ１０２は、放送局１０１からのＦＭ電波を受信する。このＦＭ電波には、ラジオ放送番組の内容を示す番組情報（ラジオ放送の音声信号）と、ＲＤＳ規格に従うデータ情報とが重畳されている。フロントエンド１０３は、制御部１１２からの図示しない周波数制御信号に基づいて、アンテナ１０２で受信したＦＭ電波のうち、選局周波数に対応するＦＭ電波を中間周波信号に変換して、ＦＭ復調部１０６へ送る。
【００１７】
ＦＭ復調部１０６は、フロントエンド１０３からの中間周波信号を復調するとともに、復調後の信号を番組情報とＲＤＳ規格のデータ情報とに分離する。これらの情報のうち、番組情報は、オーディオアンプ１０８に送られて増幅された後、車両内に設置された複数のスピーカ１０７に送られる。これにより、ラジオ放送がスピーカ１０７より出力される。
【００１８】
ＲＤＳデコーダ１０９は、ＦＭ復調部１０６からのデータ情報の復調信号を復号して、ＰＳ、および後に説明するＰＩ、ＰＩ（ＯＮ）、ＰＳ（ＯＮ）と呼ばれる情報を含む各種情報を抽出する。ＲＤＳデコーダ１０９によって抽出された情報は制御部１１２に送られる。
【００１９】
制御部１１２は、ＣＰＵ（Central Processing Unit）などの演算処理部を有するものであり、放送受信装置１００を構成する各部の動作を制御する。また、制御部１１２は、ＲＤＳデコーダ１０９からのデータに含まれるＰＩ、ＰＳ、ＰＩ（ＯＮ）、ＰＳ（ＯＮ）を取得し、ＰＩおよび、ＰＩ（ＯＮ）とＰＳ（ＯＮ）を対応付けてＲＡＭ１０４に記憶し、また一定期間内に取得され内容の異なる複数のＰＳをＰＳ取得回数と対応付けてＲＡＭ１０４に記憶するとともに、前記、一定期間の満了時にはＲＡＭ１０４に記憶されたＰＩ、ＰＩ（ＯＮ）、ＰＳ（ＯＮ）の情報に基づき、一定期間内に取得した複数の種類のＰＳの中から放送局名を確定する放送局名更新処理部１１３とを含む。
【００２０】
操作部１１１は、例えばＦＭラジオ本体に設置されるタッチパネルや操作ボタン、専用のリモコン等の入力手段であり、視聴すべき番組を選局する際に使用される。表示部１１０は、例えばＬＣＤパネルであって、選局された放送局の名称や周波数等の情報を出力表示する。
【００２１】
ＲＯＭ１０５には、制御部１１２において実行されるプログラムや各種設定情報等のデータが記憶されており、プログラムを実行する際に制御部１１２に読み出される。ＲＡＭ１０４は、制御部１１２が所定の演算処理を実行する際に、データの一時的な記憶領域として使用される。
【００２２】
図２は、ＲＤＳのタイプ０Ａまたはタイプ０Ｂのグループ（以下、「グループ０Ａ／０Ｂ」という。）のデータフォーマットを示したものである。なお、ＲＤＳに準拠したデータ単位は、４つのブロックから構成されており、各ブロックには情報ワードと検査ワードとが含まれるが、検査ワードについては図示を省略する。
【００２３】
図２において、１番目のブロック（ブロック１）には２バイトの放送局識別（ＰＩ）コードが含まれ、２番目のブロック（ブロック２）にはグループタイプ（この場合では０Ａまたは０Ｂ）を示すグループタイプコードと、２ビット分のＰＳセグメントアドレスコードが含まれる。ＰＳセグメントアドレスコードは、送信される２文字（１組）の文字情報が、８文字（４組）のＰＳの何番目に位置しているかを示す文字位置情報である。
【００２４】
グループ０Ａ／０Ｂの４番目のブロック（ブロック４）には、２文字分のＰＳ情報が含まれている。このため、８文字分のＰＳ情報は４個のグループ０Ａまたは０Ｂのデータにより伝送される。
【００２５】
図３は、ＲＤＳのタイプ１４Ａのデータフォーマットを示したものである。ブロック２には、グループタイプコードとして「１４Ａ」の情報が書き込まれている。グループタイプ１４Ａでは、他の放送局のＰＳや送信周波数等の情報を送信することができ、図３では他の放送局のＰＳを送信する場合のデータフォーマットを示している。ブロック２の末尾には、他の放送局についてどのような種類の情報を送信しているかを示すバリアントコードの情報が含まれており、バリアントコードの上位２ビットが０である場合は、他の放送局のＰＳ情報を送信することを示し、この場合下位２ビットはＰＳ（ＯＮ）セグメントアドレスコードを示すこととなる。ＰＳ（ＯＮ）セグメントアドレスコードは、送信される２文字（１組）の文字情報が、８文字（４組）のＰＳ（ＯＮ）の何番目に位置しているかを示す文字位置情報である。
【００２６】
バリアントコードの上位２ビットが０である場合のグループ１４Ａの３番目のブロック（ブロック３）には、２文字分の他局のＰＳ情報が含まれており、ＰＳ（ＯＮ）と呼ばれる。またバリアントコードの上位２ビットが０である場合のグループ１４Ａの４番目のブロック（ブロック４）には、ブロック３でＰＳ情報を送信している対象の放送局の識別コードの情報が含まれており、ＰＩ（ＯＮ）と呼ばれる。
【００２７】
次に、ＲＤＳデコーダ１０９から制御部１１２に送信されるデータに含まれるＰＩ、ＰＳ、ＰＩ（ＯＮ）、ＰＳ（ＯＮ）の情報を記憶するＲＡＭ１０４の領域の構造を図４、図５および図６に示す。図４は現受信局で受信したＰＩデータを格納する現在局ＰＩ格納メモリであり、現受信局のＰＩコードを格納する。図５は現受信局で受信したＰＳデータと取得回数を格納する現在局ＰＳ格納メモリであり、現受信局で一定期間内に受信した内容の異なる複数のＰＳデータと、それぞれのＰＳデータの取得回数を対応付けて格納する。図６は現受信局で受信したＰＩ（ＯＮ）データおよびＰＳ（ＯＮ）データを格納する他局ＰＳ格納メモリであり、現受信局とは異なる他の放送局のＰＩコードおよびＰＳコードを対応付けて格納する。図４、図５、図６にそれぞれ図示している四角が各種情報の格納領域を示し、四角の中には各種情報の具体値の一例を記載している。
【００２８】
次に、制御部１１２において、ＲＤＳデコーダ１０９から受信したＰＩ（ＯＮ）データおよびＰＳ（ＯＮ）データを他局ＰＳ格納メモリに格納する処理について、図７のフローチャートを用いて説明する。図７の処理は制御部１１２がＲＤＳデコーダ１０９からＰＳ（ＯＮ）を２文字ずつ受信する度に呼び出され、受信した２文字のＰＳ（ＯＮ）はＲＡＭに保存し、ｓ７０１において全８文字を取得したかどうかを確認し、取得済みの場合はｓ７０２に進む。ｓ７０２において、ＲＤＳデコーダ１０９から受信したＰＳ（ＯＮ）を含むグループ１４Ａのブロック４に格納されているＰＩ（ＯＮ）を抽出し、他局ＰＳ格納メモリ内に一致するＰＩ（ＯＮ）があるかどうかを確認し、検出された場合はｓ７０３に進み、検出されない場合はｓ７０４に進む。ｓ７０３では、ｓ７０２で検出された他局ＰＳ格納メモリ内のＰＩ（ＯＮ）に対応付けられたＰＳ（ＯＮ）をｓ７０１で取得したＰＳ（ＯＮ）データで上書きする。ｓ７０３では、ｓ７０２で抽出したＰＩ（ＯＮ）およびｓ７０１で取得したＰＳ（ＯＮ）データを対応付けて、他局ＰＳ格納メモリ内の空領域に追加する。
【００２９】
次に、制御部１１２において、ＲＤＳデコーダ１０９から受信したＰＳデータを現在局ＰＳ格納メモリに格納し、定期的に放送局名を更新する処理について図８、図９のフローチャートを用いて説明する。図８の処理はＰＳを２文字ずつ受信する度に呼び出され、最初に、放送局名更新処理を一定期間が経過する毎に実施するために、放送局名更新処理を前回実施してからの経過時間を確認するため、監視タイマがタイムアップ済かを確認する（ｓ８０１）またＰＳは２文字ずつ受信する度にＲＡＭに保存し、全８文字を取得すれば次の処理に進む（ｓ８０２）。放送局を受信開始してから一度も放送局名が確定していない場合は、最初に取得したＰＳに放送局名を確定し（ｓ８０７）、現在局ＰＳ格納メモリを初期化し、監視タイマをリセットし、監視タイマのカウントを開始する（ｓ８０８）。現在局ＰＳ格納メモリの初期化処理においては、全領域のＰＳに（null）に書込み、取得回数に0をセットする。次に現在局ＰＳ格納メモリに取得したＰＳを格納し、取得回数をインクリメントするが、現在局ＰＳ格納メモリ内に、取得したＰＳと一致するＰＳがある場合は該当するＰＳに対応付けられた取得回数をインクリメントし（ｓ８０５）、現在局ＰＳ格納メモリ内に、取得したＰＳと一致するＰＳが無い場合は、現在局ＰＳ格納メモリ内の空き領域に取得したＰＳを格納し、該当するＰＳに対応付けられた取得回数をインクリメントする（ｓ８０６）。また、放送局名が初回確定した時点もしくは放送局名更新処理を前回実施した時点から一定時間が経過し、監視タイマがタイムアップ済になった場合は、図９で説明する放送局名更新処理を実施することにより放送局名を更新する（ｓ８０９）。また、現在局ＰＳ格納メモリを初期化し、監視タイマをリセットする（ｓ８１０）。
【００３０】
次に、図８のｓ８０９で呼び出される放送局名更新処理について図９のフローチャートを用いて説明する。最初にｓ９０１において、現在局ＰＳ格納メモリの内容を確認し、現在局ＰＳ格納メモリに内容の異なる複数のＰＳが格納されている場合には、受信中の放送局がダイナミックＰＳを送信していると判断する。ダイナミックＰＳ送信局の場合は、現在局ＰＳ格納メモリに格納されている複数のＰＳの中から、取得回数が閾値以上のＰＳを放送局名候補として抽出する（ｓ９０２）。次にｓ９０３において、現在局ＰＩ格納メモリに格納されている現在受信中の放送局のＰＩコードと一致するＰＩ（ＯＮ）が他局ＰＳ格納メモリ内に存在するかどうかを確認し、存在する場合には、他局ＰＳ格納メモリ内の該当ＰＩ（ＯＮ）に対応付けられたＰＳ（ＯＮ）と、ｓ９０２において放送局名候補として抽出したＰＳを比較し、一致する放送局名候補があった場合には、該当する放送局名候補を放送局名として決定する。
【００３１】
以下、上記構成による放送受信装置の作用について図１０、図１１を用いた例で説明する。図１０に示す放送局Ａと放送局Ｂは別の放送局であり、放送局Ｂの放送局名:"Fun FM"を放送局ＡがＰＳ（ＯＮ）で送信しているとする。また放送局ＢはダイナミックＰＳを送信する放送局であり、図１１に示す順序でＰＳを変化させて送信しているものとする。図１１に示す放送局ＢのダイナミックＰＳの内容としては、"enjoy"、"Fun FM"を交互に繰り返し７回分送信すると"please"、"access"、"www."、"funfm"、".com"のＰＳにより構成される広告文章を１回分送信する送信パターンとする。また図８、図９に示した放送局名を更新する処理の設定パラメタとして、図８のｓ８０１で参照している放送局名更新処理を呼び出す時間間隔となる監視タイマのタイムアップ閾値は、図１１に示すＰＳ送信パターンを１周分受信するだけの値とし、また図９のｓ９０２で放送局名候補を抽出するための取得回数条件は、取得回数が３回以上との条件とする。
【００３２】
以下、放送局Ｂの放送局名を正しく更新するまでの処理について説明する。まず最初に、放送局Ａを受信し、ＰＩ（ＯＮ）：F214と、ＰＳ（ＯＮ）："FUN FM"を対応付けて他局放送局名格納メモリに格納する。その後、放送局Ｂを受信し、最初に受信したＰＳとして、"enjoy"が受信されると、この時点では誤った放送局名として"enjoy"を放送局名に確定してしまう。この時点で、事前に放送局ＡからＰＳ（ＯＮ）："FUN FM"を受信済みであるがこのＰＳ（ＯＮ）は他の放送局から送信されるデータであるため、内容に誤りがある場合や古い情報のまま更新されていないケースがあるため、この時点で放送局Ｂの放送局名として確定することは出来ない。その後、所定の期間の間、放送局ＢからＰＳデータを受信し、現在局ＰＳ格納メモリの内容が図５に示した値のように更新された後、図９に示す放送局名更新処理が実行されたとする。ｓ９０２の放送局名候補の抽出処理により、取得回数が条件に満たない"please"、"access"、"www."、"funfm"、".com"の広告文章を構成するＰＳは放送局名候補から除外することができる。しかし現在局ＰＳ格納メモリに格納されている残りのＰＳである"enjoy"および"Fun FM"は取得回数は条件を満たしているが、取得回数が同じであるため、取得回数の情報だけではどちらが正しい放送局名かの判断が出来ない。このためｓ９０３において、現在局ＰＩ格納メモリのＰＩと一致するＰＩ（ＯＮ）を他局ＰＳ格納メモリから検出し、検出されたＰＩ（ＯＮ）：F214に対応付けられたＰＳ（ＯＮ）："FUN FM"と、ｓ９０２で抽出された放送局名候補との比較を行うことにより、一致する放送局名候補："FUN FM"を正しい放送局名として更新することができる。
【００３３】
このようにダイナミックＰＳの場合にＰＳの送信回数だけでは正しい放送局名を確定できない場合であっても、事前に他の放送局から受信したＰＳ（ＯＮ）情報との比較を行い、放送局名を確定させることで、正確に放送局名を更新し表示することができる。
【００３４】
以上、本発明の実施の形態を例示により説明したが、本発明の範囲はこれらに限定されるものではなく、請求項に記載された範囲内において目的に応じて変更、変形することが可能である。
【００３５】
また、上記の実施形態では、ＦＭラジオ機器を例にして説明したが、本発明はこれに限定されることはなく、例えば、携帯電話機、テレビ等の他の電子機器に適用することができる。
【産業上の利用可能性】
【００３６】
以上のように、本発明にかかる放送受信装置は、他の放送局から送信された放送局名情報と受信中の放送局から一定期間内に送信された放送局名情報とを比較し、一致する放送局名情報があった場合に、放送局名を更新するようにして、正しい放送局名情報を確実に表示することができるという効果を有し、ＦＭラジオ等の電子機器に適用することができ、有用である。
【符号の説明】
【００３７】
１００    放送受信装置
１０１    放送局
１０２    アンテナ
１０３    フロントエンド
１０４    ＲＡＭ
１０５    ＲＯＭ
１０６    ＦＭ復調部
１０７    スピーカ
１０９    ＲＤＳデコーダ
１１０    表示部
１１１    操作部
１１２    制御部
１１３    放送局名更新処理部
【図１】
2014127901.tif 000003
【図２】
2014127901.tif 000004
【図３】
2014127901.tif 000005
【図４】
2014127901.tif 000006
【図５】
2014127901.tif 000007
【図６】
2014127901.tif 000008
【図７】
2014127901.tif 000009
【図８】
2014127901.tif 000010
【図９】
2014127901.tif 000011
【図１０】
2014127901.tif 000012
【図１１】
2014127901.tif 000013